【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
対向する第１および第２のすくい面と、前記第１および第２のすくい面を接続するインサート周面と、前記インサート周面の両側に開口する、インサートねじ穴軸線を有するインサートねじ穴と、前記インサート周面と前記第１および第２のすくい面の対応する一方とが交わる部分に沿って延在する第１および第２の切刃とを備えたランピング用インサートであって、前記第１および第２の切刃の各々は、第１のランピング用副刃と、第１の側方副刃と、前記第１のランピング用副刃および前記第１の側方副刃に接続された第１の送り用副刃と、前記第１の側方副刃に接続された第２のランピング用副刃と、前記第１のランピング用副刃に接続された第２の側方副刃と、前記第２のランピング用副刃および前記第２の側方副刃に接続された第２の送り用副刃とを備え、前記ランピング用および送り用副刃の各々は前記側方副刃の各々より長く、各すくい面の最大すくい面長さはその第１および第２の側方副刃の間で測定可能であり、前記ランピング用および送り用副刃の各々は、前記側方副刃に接近するに伴い収斂してそこに接続され、各ランピング用副刃は尖ったランプ用コーナー部分を備え、前記尖ったランプ用コーナー部分は送り用副刃に最も近い前記ランピング用副刃のコーナー部分であり、各送り用副刃は前記尖ったランプ用コーナー部分の１つに隣接する尖った送り用コーナー部分を備え、前記尖ったランプ用コーナー部分および前記尖った送り用コーナー部分の不連続点の間に直線状の延長部分が画成され、
前記直線状の延長部分と前記隣接する第１のランピング用副刃との間に形成された第１の内角Ｒ２と、前記直線状の延長部分と前記隣接する第１の送り用副刃との間に形成された第２の内角Ｒ１とを更に備え、前記第１の内角Ｒ２は前記第２の内角Ｒ１に等しくない、ランピング用インサート。
【請求項２】
前記第１および第２のすくい面を二等分し、前記インサートねじ穴軸線を含み、前記第１および第２のすくい面の中心を通って延びるすくい軸線を更に含む中央厚さ平面のそれぞれ異なる側に、隣接するランピング用および送り用副刃の接続点が位置する、請求項１に記載のランピング用インサート。
【請求項３】
前記送り用副刃の各々は前記ランピング用副刃の各々より長い、請求項１または２に記載のランピング用インサート。
【請求項４】
前記インサート周面は逃がし部がない、請求項１〜３のいずれか一項に記載のランピング用インサート。
【請求項５】
各側方副刃は直線部分を備える、請求項１〜４のいずれか一項に記載のランピング用インサート。
【請求項６】
各側方副刃の前記直線部分は、同じすくい面上の前記側方副刃の前記直線部分にのみ平行である、請求項５に記載のランピング用インサート。
【請求項７】
各直線部分は、前記ランピング用副刃の各々の全長の１３％±５％である長さ、および／または前記送り用副刃の各々の全長の１３％±５％である長さ、を有する、請求項５または６に記載のランピング用インサート。
【請求項８】
前記第１および第２のすくい面を二等分し、前記第１および第２のすくい面の中心を通って延びる前記インサートねじ穴軸線およびすくい軸線を含む中央厚さ平面を更に備え、前記直線部分は、前記中央厚さ平面に平行に、および前記インサートねじ穴軸線に平行に、測定可能な前記インサートの最大厚の１５％±５％である長さを有する、請求項５〜７のいずれか一項に記載のランピング用インサート。
【請求項９】
前記第１および第２のすくい面の中心を通って延びるすくい軸線と、前記すくい軸線および前記インサートねじ穴軸線を含み、前記第１および第２のすくい面を二等分する中央厚さ平面と、前記第１および第２のすくい面を二等分し、前記中央厚さ平面に垂直に延在する中央長手平面と、前記第１および第２のすくい面の中間に位置し、前記中央厚さ平面および前記中央長手平面に垂直に延在する中央高さ平面と、前記すくい軸線に平行に測定可能な最大高さと、前記インサートねじ穴軸線に平行に測定可能な最大厚とを更に備え、前記最大高さは前記最大厚より大きい、請求項１〜８のいずれか一項に記載のランピング用インサート。
【請求項１０】
前記第１および第２のすくい面の中心を通って延びるすくい軸線と、前記すくい軸線と前記インサートねじ穴軸線とを含み、前記第１および第２のすくい面を二等分する中央厚さ平面と、前記第１および第２のすくい面を二等分し、前記中央厚さ平面に垂直に延在する中央長手平面と、前記第１および第２のすくい面の間の中間に位置し、前記中央厚さ平面および前記中央長手平面に垂直に延在する中央高さ平面とを更に備え、前記インサートは前記すくい軸線を中心に１８０°回転対称である、および／または前記インサートねじ穴軸線を中心に１８０°回転対称である、請求項１〜９のいずれか一項に記載のランピング用インサート。
【請求項１１】
各すくい面の中心すくい面領域が平坦である、請求項１〜１０のいずれか一項に記載のランピング用インサート。
【請求項１２】
前記第１の内角Ｒ２は前記第２の内角Ｒ１より大きい、請求項１１に記載のランピング用インサート。
【請求項１３】
前記直線状の延長部分は０．５ｍｍ〜２．０ｍｍの間の長さを有する、請求項１〜１２のいずれか一項に記載のランピング用インサート。
【請求項１４】
前記直線状の延長部分は０．７５ｍｍ未満の長さを有する、請求項１３に記載のランピング用インサート。
【請求項１５】
前記直線状の延長部分は、前記尖った送り用コーナー部分を備えた前記送り用副刃の直線部分の長さの４分の１未満の長さを有する、請求項１〜１４のいずれか一項に記載のランピング用インサート。
【請求項１６】
前記直線状の延長部分は、前記尖った送り用コーナー部分を備えた前記送り用副刃の前記直線部分の長さの６分の１以下の長さを有する、請求項１５に記載のランピング用インサート。
【請求項１７】
前記ランピング用副刃の直線部分が前記隣接する送り用副刃の直線部分の長さの７０％±１５％の長さを有する、請求項１〜１６のいずれか一項に記載のランピング用インサート。
【請求項１８】
前記第１および第２の切刃の各々が一平面に存在する、請求項１〜１７のいずれか一項に記載のランピング用インサート。
【手続補正２】
【補正対象書類名】明細書
【補正対象項目名】００３９
【補正方法】変更
【補正の内容】
【００３９】
Ｕ．ランピング用インサートは、直線状の延長部分と隣接する第１のランピング用副刃との間に形成された第１の内角Ｒ２と、直線状の延長部分と隣接する第１の送り用副刃との間に形成された第２の内角Ｒ１とを備え得る。第１の内角Ｒ２は、第２の内角Ｒ１と不等であり得る。第１の内角Ｒ２は第２の内角Ｒ１より大きいことが好ましい。
【手続補正３】
【補正対象書類名】明細書
【補正対象項目名】０２２４
【補正方法】変更
【補正の内容】
【０２２４】
詳しく説明すると、直線状の延長部分１３９と隣接する第１のランピング用副刃１２８Ａ１との間に形成された第１の内角Ｒ２は、直線状の延長部分１３９と隣接する第１の送り用副刃１２８Ｃ１との間に形成された第２の内角Ｒ１とは異なる、すなわち等しくない、ことも分かるであろう。より正確には、第１および第２の内角Ｒ２、Ｒ１はどちらも１８０°未満である。第１の内角Ｒ２は、この非限定例においては１７１°である。第２の内角Ｒ１は、この非限定例においては１６３°である。これら角度は変化し得るが、好ましくは直線状の延長部分１３９が機械加工される表面１３７に平行になることを理解されるであろう。したがって、このような角度はインサートランピングおよびアプローチ角ｋ０、ｋ１に関連し、これらから計算可能であり得ることも理解されるであろう。直線状の延長部分１３９は、送り用コーナー部分１４０Ｃ１が、ランプ用コーナー部分１３６Ｃ２に比べ、表面１３７から僅かに遠ざかるように、向けられ得ることが好ましい（この差がミクロン単位、好ましくは５〜２５ミクロンの間、であり、したがってこの拡大率では見えず、したがって、平行またはほぼ平行であると見做され得るとしても）。